(57)【特許請求の範囲】
【請求項１】
動画を表示するための薄型平面表示部と、
この薄型平面表示部に表示する動画データが予め記憶された記憶部と、
前記薄型平面表示部への動画表示を制御するための制御部と、
外部から供給される電力を受け取る受電部と、
を有するが動画を表示するための電池を持たない複数枚の動画表示カード、および、
前記動画表示カードが複数枚載置され、前記各動画表示カードに動画を表示するときに前記受電部に電力を供給するための電力供給部を有する動画表示カード用電源、
からなるカードゲーム用カード表示装置であって、
前記複数枚の動画表示カードが、それぞれカードゲームのカードゲーム用カードを構成し、
前記動画表示カード用電源がカードゲーム用の場としてのテーブルまたはマットを構成する
ことを特徴とするカードゲーム用カード表示装置。
【請求項２】
前記受電部がそれぞれ電磁コイルを備え、
前記電力供給部は電磁コイルを備え、
前記受電部の各電磁コイルは、電磁誘導により前記電力供給部の電磁コイルから電力を受け取ることを特徴とする請求項１に記載のカードゲーム用カード表示装置。
【請求項３】
少なくとも１つの前記動画表示カードの前記受電部がそれぞれ電気接点を備え、
前記動画表示カード用電源の前記電力供給部は電気接点を備え、
前記受電部の各電気接点は、前記電力供給部の電気接点から電力を受け取ることを特徴とする請求項１に記載のカードゲーム用カード表示装置。
【請求項４】
前記薄型平面表示部がバックライトを備えていないものであって、前記動画表示カード用電源は、前記動画表示カードに動画を表示するときに前記動画表示カードの背面側から照明する光源をさらに備えたことを特徴とする請求項１から３の何れかに記載のカードゲーム用カード表示装置。
【発明の詳細な説明】
【技術分野】
【０００１】
本発明は、ゲーム用動画表示カード、収集対象としての動画表示カードおよび動画表示カード用電源装置からなるカードゲーム用カード表示装置に関する。
【背景技術】
【０００２】
本発明者は、例えば、花札、トランプなどの紙製のゲーム用カードまたはトレーディングカード、ブロマイドなどの収集対象のカードを液晶または有機ディスプレイなどの薄型の動画表示デバイス（以下ＦＰＤという）に置き換えることを考えた。これにより、動画を表示することができれば、カード自体に付加価値を与え、またはカードの機能を増大させることにより、新たなカード需要も期待できる。
【０００３】
これらのカードをＦＰＤで実現するためには、ＦＰＤ自体の薄型化以外に、その周辺回路、部品等も紙のように薄い（たとえば、クレジットカードの厚さのように１ｍｍ以下）のパッケージで実現する必要がある。このとき最も問題になるのがＦＰＤ駆動電力供給のための電池である。また、蛍光管、ＬＥＤ、導光板によるバックライトである。
【０００４】
ＦＰＤにより動画を表示する装置としては、特許文献１に開示されたような携帯情報端末がある。この文献では、薄型化のための構成として、電池収納部の配置を工夫が提案されている。
【０００５】
【特許文献１】特許公開２００４−３０４７４号公報
【発明の開示】
【発明が解決しようとする課題】
【０００６】
しかし、特許文献１に記載されたような携帯情報端末における電池配置の工夫では、ＦＰＤを備えかつ一般のクレジットカードのように薄いカードを実現することは不可能である。
【０００７】
本発明が対象とするカードにこのような表示装置の技術を応用しようとする場合、そのＦＰＤに動画表示するために必要な回路動作、およびその駆動時間確保のために十分な容量の電池は、その体積(厚さ)を小さくすることには、現行技術において限界があり、カードとしての厚さを１ｍｍとすることは不可能である。本発明はカードに関するものであるので、その薄型化の必要性は、携帯情報端末の比ではない。たとえば、トランプの場合、ゲームには５３枚のカードを重ねて使用する。また、トレーディングカード、ブロマイドの場合も、収集した多数のカードを重ねて保管することが多い。
【０００８】
本発明は、上記課題を解決するためになされたもので、動画表示装置を備えた薄型のカードおよび動画表示カード用電源装置からなるカードゲーム用カード表示装置を提供することを目的とする。
【課題を解決するための手段】
【０００９】
本発明は、（１）〜（４）を要旨とする。
（１）  動画を表示するための薄型平面表示部と、
この薄型平面表示部に表示する動画データが予め記憶された記憶部と、
前記薄型平面表示部への動画表示を制御するための制御部と、
外部から供給される電力を受け取る受電部と、
を有するが動画を表示するための電池を持たない複数枚の動画表示カード、および、
前記動画表示カードが複数枚載置され、前記各動画表示カードに動画を表示するときに前記受電部に電力を供給するための電力供給部を有する動画表示カード用電源、
からなるカードゲーム用カード表示装置であって、
前記複数枚の動画表示カードが、それぞれカードゲームのカードゲーム用カードを構成し、
前記動画表示カード用電源がカードゲーム用の場としてのテーブルまたはマットを構成する
ことを特徴とするカードゲーム用カード表示装置。
このような構成とすることにより、カードの厚みを増す主な要因となる電池を内蔵する必要が無く、カードの薄型化を図ることができる。
【００１０】
（２）
前記受電部がそれぞれ電磁コイルを備え、
前記電力供給部は電磁コイルを備え、
前記受電部の各電磁コイルは、電磁誘導により前記電力供給部の電磁コイルから電力を受け取ることを特徴とする（１）に記載のカードゲーム用カード表示装置。
（３）
少なくとも１つの前記動画表示カードの前記受電部がそれぞれ電気接点を備え、
前記動画表示カード用電源の前記電力供給部は電気接点を備え、
前記受電部の各電気接点は、前記電力供給部の電気接点から電力を受け取ることを特徴とする（１）に記載のカードゲーム用カード表示装置。
【００１１】
このような構成とすることにより、カードに外部から電力を供給して、その動画表示のための回路を動作させることが可能となり、カードの薄型化を図ることができる。
【００１２】
受電部および電力供給部を電磁コイルを使用して構成することにより、電力供給のために、カード用電源装置と動画表示カードとの間の正確な位置決め、あるいは接触を必要としないという利点がある。
【００１３】
一方、受電部と電力供給部とを電気接点により接続する構成では、回路構成が簡単になるという利点がある。
【００１４】
（４）
前記薄型平面表示部がバックライトを備えていないものであって、前記動画表示カード用電源は、前記動画表示カードに動画を表示するときに前記動画表示カードの背面側から照明する光源をさらに備えたことを特徴とする（１）から（３）の何れかに記載のカードゲーム用カード表示装置。
このような構成とすることにより、カードのさらなる薄型化が容易となる。
【発明の効果】
【００１５】
本発明によれば、動画表示装置を備えた薄型のカードおよび動画表示カード用電源装置からなるカードゲーム用カード表示装置を提供することができる。
【発明を実施するための最良の形態】
【００１６】
図１は本発明のカードゲーム用カード表示装置の一実施形態による動画表示カードを示す構成図である。図１において、動画表示カード１０は、動画が表示される液晶ディスプレイ１１、液晶ディスプレイ１１を駆動する液晶ドライバ１２（マトリックスの行および列に対して２つのドライバ１２−Ｘ、１２−Ｙ）を含む。液晶ディスプレイ１１に表示される静止画、動画などの動画は、データ書き込み端子１３を経由してメモリ１４に動画データとして記憶される。メモリ１４に記憶された動画データは、動画信号処理部／ＤＡＣ１５により、液晶ドライバ１２に与えられ、液晶ディスプレイ１１に表示される。
【００１７】
これら動画を表示するための液晶ディスプレイ１１，液晶ドライバ１２，メモリ１４，動画信号処理部／ＤＡＣ１５に必要な電力は、受信コイル１６、検波回路１７、電源回路１８からなる受電部により提供される。受信コイル１６は、後述するカード用電源装置の送信コイルから電磁誘導により電力を受け取り、検波回路１７，電源回路１８により液晶ディスプレイ１１，液晶ドライバ１２，メモリ１４，動画信号処理部／ＤＡＣ１５に適した安定した電圧に変換して供給する。
【００１８】
図１に示した構成からわかるように、この実施形態による動画表示カード１０は、液晶ディスプレイ１１が通常備えるバックライトを含んでいない。また、液晶ディスプレイ１１を駆動するための電力を供給する電池を含んでいない。これら液晶ディスプレイ１１，液晶ドライバ１２，メモリ１４，動画信号処理部／ＤＡＣ１５，受信コイル１６，検波回路１７，電源回路１８は、いずれもすでに薄型化が可能な部品である。したがって、現行の技術を使用しても、１ｍｍ以下の厚さの動画表示カードを実現することができる。
【００１９】
メモリ１４は、電力供給がない場合にもその動画データを保持するフラッシュメモリなどの不揮発性メモリを使用することができる。揮発性メモリを使用する場合にも、データ保持あるいは静止画維持のみのためにカードに内蔵される電池はきわめて小型の小容量のもので済むので、カードが厚くなることは無い。
【００２０】
図２は、本発明のカードゲーム用カード表示装置の一実施形態によるカード用電源装置を示す構成図である。図２において、カード用電源装置２０は、ＡＣアダプタ２１、充電回路２２、電池／電源回路２３、カード検出回路２４、高周波発振回路２５、および送信コイル２６を含む。ＡＣアダプタ２１は、たとえば商用電源からの交流電圧を直流電圧に変換し、充電回路２２に与える。充電回路２２は、電池／電源回路２３の電池の充電を制御する。電池／電源回路２３は、カード検出回路２４を介して、高周波発振回路２５に直流電力を供給し、高周波発振回路２５は、これを高周波電圧に変換して送信コイル２６に与える。送信コイル２６は、高周波磁界を発生する。図１中の受信コイル１６をこの高周波磁界中に置くと、電磁誘導により電力が動画表示カード１０に供給される。
【００２１】
しかし、電磁誘導には、動画表示カード１０以外の異物、たとえば金属板を送信コイル２６に近接して置いた場合にも電流が流れて発熱するという問題がある。この問題を解決するために、カード検出回路２４を設け、動画表示カード１０を検出した場合にのみ、送信コイル２６に電力を供給する構成としている。動画表示カード１０を検出する方法としては、たとえば、受信コイル１６と送信コイル２６との間のリンクを使用して認証コードをやり取りすることが考えられる。
【００２２】
電池／電源回路２３からの電力はバックライト駆動回路２７にも与えられ、バックライトの発光部であるＬＥＤ／蛍光管２８を駆動する。ＬＥＤ／蛍光管２８からの光は、導光部であるバックライトガラス板２９により、面光源として図１中の液晶ディスプレイ１１をその裏面側から照明する。なお、カード検出回路２４によりカードを検出したときにのみＬＥＤ／蛍光管２８を点灯するように構成すれば、省電力となる。
【００２３】
図１及び図２の実施形態においては、無線による電力供給の例を示したが、図３に示すように、これを有線による電力供給とすることもできる。図３において、動画表示カード３１とカード用電源装置３５とは、電気接点３２、３３，３６，３７を接触させることにより電気的に接続できるようになっており、電力がカード用電源装置３５から動画表示カード３１に供給されるようになっている。
【００２４】
図１ないし図３に示した構成により、動画表示カード１０がバックライトおよび電池を備えることなく動画表示することが可能となり、動画表示カード１０の薄型化が可能となる。なお、動画表示カード１０の厚みを増すことになる主な要因は電池にある。極薄型のバックライトが実現できれば、動画表示カード１０にバックライトを含めることは可能である。
【００２５】
動画表示カード１０が、トレーディングカード、ブロマイドの場合、その動画には著作権、肖像権があることが多いが、その場合、メモリ１４への動画データの書き込みは、正当な権利者によりなされるようにするとよい。また、この動画データの書き込みは、正当な権利者（著作権者など）または対価を支払った者によってのみ可能とするよう制限する構成とすることもできる。
【００２６】
このように動画表示を可能にすることにより、カードを魅力のあるものとし、その収集意欲を高めることができる。したがって、カード販売数量が飛躍的に増大することが期待できる。
【００２７】
図４は、図１及び図２に示した動画表示カード１０及びカード用電源装置２０の実際の使用における組み合わせの一例を示す概略構成図である。カード配列ボード４０は、その表面に、例えば枠で囲ったカード配置部４１を複数有する。このカード配置部４１の数は、使用するカードの種類により設定可能である。カード配列ボード４０は、カード用電源装置２０を含み、カード配置部４１に対応して、送信コイル２６がそれぞれ配置されている。
【００２８】
カード配置部４１には、動画表示カード１０が置かれることになり、図４には、動画表示カード１０は受信コイル１６を、カード配置部４１は送信コイル２６をそれぞれ備えることを示している。しかし、受信コイル１６、送信コイル２６が外から見えることを意味しているものではない。各カード配置部４１には、それぞれバックライト（ＬＥＤ／蛍光管２８及びバックライトガラス板２９）が設けられている。
【００２９】
動画表示カード１０がカード配置部４１のいずれかに置かれるとき、カード検出回路２４によるカード検出に応じて、受信コイル１６と送信コイル２６との間の電磁誘導により、動画表示に必要な電力がカード用電源装置２０から動画表示カード１０に供給される。また、対応するＬＥＤ／蛍光管２８が点灯する。なお、動画表示カード１０がいずれか１つのカード配置部４１に置かれたときに、すべてのカード配置部４１が照明されるようにしてもよく、また常時すべてカード配置部４１が照明されるようにしても良い。
【００３０】
したがって、動画表示カード１０に所望の動画を表示させようとするときには、動画表示カード１０をカード配置部４１上に置くことにより、動画表示カード１０にその回路動作に必要な電力が供給され、対応するカード配置部４１の照明によって、動画を表示することができる。なお、カード配列ボード４０にスピーカ、音声合成装置を備え、動画表示カード１０のメモリ１４に記憶された音声データを受信コイル１６と送信コイル２６との間の無線リンクを介してカード配列ボード４０に送り、再生することもできる。
【００３１】
本発明のカードゲーム用カード表示装置にかかる動画表示カードは、さまざまなカードに適用可能である。たとえば、トランプ、花札、タロットカードなどのカードゲーム用カードは、手札として持たれるだけでなく、テーブルの上などの「場」に出して、役を作るといった機能が生じるものである。
【００３２】
図４に示したカード配列ボード４０を、カードゲーム専用のテーブルまたはマットとして使用することができる。動画表示カード１０と動画表示カード用電源装置２０とは電磁誘導または電気接点の接続により、データのやりとりが可能である。たとえば、花札の場合、カード配列ボード４０上に配置されたカードについて役がそろったことを検出して、特別の動画を動画表示カード１０に表示させることも可能である。
【図面の簡単な説明】
【００３３】
【図１】本発明の一実施形態による動画表示カードを示す構成図である。
【図２】本発明の一実施形態によるカード用電源装置を示す構成図である。
【図３】本発明の他の実施形態による動画表示カードおよびカード用電源装置を示す構成図である。
【図４】図１及び図２に示した動画表示カード１０及びカード用電源装置２０の実際の使用における組み合わせの一例を示す概略構成図である。
【符号の説明】
【００３４】
１０  動画表示カード
１１  液晶ディスプレイ
１２  液晶ドライバ１２
１３  データ書き込み端子
１４  メモリ
１５  動画信号処理部／ＤＡＣ
１６  受信コイル
１７  検波回路
１８  電源回路
２０  カード用電源装置
２１  ＡＣアダプタ
２２  充電回路
２３  電池／電源回路
２４  カード検出回路
２５  高周波発振回路
２６  送信コイル
２７  バックライト駆動回路
２８  ＬＥＤ／蛍光管
３１  動画表示カード
３２、３３，３６，３７  電気接点
４０  カード配列ボード
４１  カード配置部
【図１】
0005126870.tif 000002
【図２】
0005126870.tif 000003
【図３】
0005126870.tif 000004
【図４】
0005126870.tif 000005